【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
第１の周辺機器を固有に表わす識別情報を有する前記第１の周辺機器の状態をチェックする周辺機器の状態チェック方法であって，
（ａ）前記第１の周辺機器の細部的な状態を表わす状態情報を前記識別情報付き識別領域に付加し、この識別領域をパソコンに伝送する段階と，
（ｂ）前記識別領域から前記状態情報を抽出し，前記状態情報に基づき前記第１の周辺機器の状態を分析する段階と，
を含むことを特徴とする周辺機器の状態チェック方法。
【請求項２】
前記（ａ）段階は，
（ａ１）前記第１の周辺機器の状態の伝送要否を判断する段階と，
（ａ２）前記第１の周辺機器の状態を送る必要があると判断されれば，前記第１の周辺機器が自己状態をチェックする段階と，
（ａ３）前記チェックされた状態を表わす状態データのパターンを前記識別情報のパターンに適合するように変換し，変換されたパターンを有する前記状態データを前記状態情報とする段階と，
（ａ４）前記状態情報を前記識別領域に付加する段階と，
を含むことを特徴とする請求項１に記載の周辺機器の状態チェック方法。
【請求項３】
前記状態情報は，前記第１の周辺機器と状態要求部との間において通信ポートのうち何れか一つを用いて伝送されることを特徴とする請求項１に記載の周辺機器の状態チェック方法。
【請求項４】
前記（ａ）段階は，
前記（ａ２）段階後に，前記チェックされた状態を表わす前記状態データをエンコーディングする段階をさらに含み，
前記（ａ３）段階では，エンコーディングされた結果のパターンを前記識別情報のパターンに適合するように変換し，変換されたパターンを有する前記エンコーディングされた結果を前記状態情報とすることを特徴とする請求項２に記載の周辺機器の状態チェック方法。
【請求項５】
前記状態データは，キャラクタで表されることを特徴とする請求項４に記載の周辺機器の状態チェック方法。
【請求項６】
前記識別情報のパターンは，アスキーコードで表されることを特徴とする請求項２に記載の周辺機器の状態チェック方法。
【請求項７】
前記（ｂ）段階は，
（ｂ１）前記第１の周辺機器から前記識別領域を受け取る段階と，
（ｂ２）前記識別領域から前記状態情報を抽出する段階と，
（ｂ３）抽出された前記状態情報に基づき前記第１の周辺機器の状態を分析する段階と，を含むことを特徴とする請求項１に記載の周辺機器の状態チェック方法。
【請求項８】
第１の周辺機器自体を固有に表わす識別情報を有する前記周辺機器の状態をチェックする周辺機器の状態チェック装置であって，
前記第１の周辺機器から前記第１の周辺機器の細部的な状態を少なくとも一つ表わす状態情報を付加した前記識別情報付き識別領域を受け取り，前記識別領域から前記状態情報を抽出し，抽出された前記状態情報に基づき前記第１の周辺機器の状態を分析し，分析された結果を出力する状態分析部を備えたことを特徴とする周辺機器の状態チェック装置。
【請求項９】
前記状態分析部はプログラミングされたコンピュータプロセッサであることを特徴とする請求項８に記載の周辺機器の状態チェック装置。
【請求項１０】
前記状態分析部は，パソコン内部に備えられることを特徴とする請求項８に記載の周辺機器の状態チェック装置。
【請求項１１】
前記状態分析部は，第２の周辺機器内部に備えられることを特徴とする請求項８に記載の周辺機器の状態チェック装置。
【請求項１２】
パソコンに接続される周辺機器の状態チェック装置であって，
前記周辺機器は，
前記周辺機器の状態の伝送要否を判断し，判断された結果を制御信号として出力する伝送決定部と，
前記制御信号に応答して前記周辺機器の状態をチェックし，チェックされた前記状態を表わす状態データを出力する状態チェック部と，
前記状態データのパターンを前記周辺機器の前記識別情報のパターンに適合するよう変換し，変換されたパターンを有する前記状態データを前記状態情報として出力するパターン変換部と，
前記状態情報を前記識別情報を含む前記周辺機器の識別領域に付加し，前記状態情報付き前記識別領域を出力する情報付加部と，
前記識別情報付き前記識別領域を送る伝送部とを備え，
前記パソコンは，
前記周辺機器から前記周辺機器の細部的な状態を少なくとも一つ表わす状態情報を付加した前記識別情報付き識別領域を受け取り，前記識別領域から前記状態情報を抽出し，抽出された前記状態情報に基づき前記周辺機器の状態を分析し，分析された結果を出力する状態分析部を備えたことを特徴とする周辺機器の状態チェック装置。
【請求項１３】
前記状態チェック装置は，
前記状態チェック部より入力された前記状態データをエンコーディングし，エンコーディングされた状態データを前記パターン変換部に出力するエンコーディング部をさらに備え，
前記パターン変換部は，前記エンコーディングされた状態データのパターンを前記識別情報のパターンに適合するように変換し，変換された結果を前記状態情報として出力することを特徴とする請求項１２に記載の周辺機器の状態チェック装置。
【請求項１４】
前記状態分析部は，
前記周辺機器から送られてきた前記識別領域を受け取る領域受信部と，
前記領域受信部より入力された前記識別領域から前記状態情報を抽出し，抽出された前記状態情報を分析する情報抽出部とを備えることを特徴とする請求項１２に記載の周辺機器の状態チェック装置。
【請求項１５】
前記識別情報は，前記第１の周辺機器を固有に表わし，前記識別領域に含まれることを特徴とする請求項１に記載の周辺機器のチェック方法。
【手続補正２】
【補正対象書類名】明細書
【補正対象項目名】００１０
【補正方法】変更
【補正の内容】
【００１０】
【課題を解決するための手段】
前記課題を解決するため，本発明のある観点によれば，第１の周辺機器自体を固有に表わす識別情報付き前記第１の周辺機器の状態をチェックする周辺機器の状態チェック方法であって，（ａ）前記第１の周辺機器の細部的な状態を表わす状態情報を前記識別情報付き識別領域に付加し、この識別領域をパソコンに伝送する段階と，（ｂ）送られてきた前記識別領域から前記状態情報を抽出し，前記状態情報に基づき前記第１の周辺機器の状態を分析する段階と，を含む周辺機器の状態チェック方法が提供される。
前記課題を解決するため，本発明の別の観点によれば，パソコンに接続される周辺機器の状態チェック装置であって，前記周辺機器は，前記周辺機器の状態の伝送要否を判断し，判断された結果を制御信号として出力する伝送決定部と，前記制御信号に応答して前記周辺機器の状態をチェックし，チェックされた前記状態を表わす状態データを出力する状態チェック部と，前記状態データのパターンを前記周辺機器の前記識別情報のパターンに適合するよう変換し，変換されたパターンを有する前記状態データを前記状態情報として出力するパターン変換部と，前記状態情報を前記識別情報を含む前記周辺機器の識別領域に付加し，前記状態情報付き前記識別領域を出力する情報付加部と，前記識別情報付き前記識別領域を送る伝送部とを備え，前記パソコンは，前記周辺機器から前記周辺機器の細部的な状態を少なくとも一つ表わす状態情報を付加した前記識別情報付き識別領域を受け取り，前記識別領域から前記状態情報を抽出し，抽出された前記状態情報に基づき前記周辺機器の状態を分析し，分析された結果を出力する状態分析部を備えたことを特徴とする周辺機器の状態チェック装置が提供される。
【手続補正３】
【補正対象書類名】明細書
【補正対象項目名】００１１
【補正方法】変更
【補正の内容】
【００１１】
前記課題を解決するため，本発明の別の観点によれば，第１の周辺機器自体を固有に表わす識別情報付き前記第１の周辺機器の状態をチェックする周辺機器の状態チェック装置であって，前記第１の周辺機器から前記第１の周辺機器の細部的な状態を少なくとも一つ表わす状態情報を付加した前記識別情報付き識別領域を受信し，前記受信された識別領域から前記状態情報を抽出し，抽出された前記状態情報に基づき前記第１の周辺機器の状態を分析し，分析された結果を出力する状態分析部を備え，前記第１の周辺機器は，前記状態を少なくとも一つ表わす前記状態情報を第１の周辺機器の前記識別情報付き前記識別領域に付加し，前記識別情報付き識別領域を前記状態分析部に送る状態チェック装置が提供される。